(57)【要約】【課題】カメラの台数が多い場合であっても、操作が煩雑にならない表示画面に編集する映像監視装置を提供する。【解決手段】複数のカメラ２−１〜２−Ｎによりそれぞれ撮影された映像を受信し、モニタ１５の画面上に複数の映像のうち所定の映像を表示する映像監視装置において、ユーザの指示に基づき所定の映像上に重畳して表示させるオブジェクトを選択すると共にユーザの指示に基づき当該オブジェクトを表示する位置を決定する情報表示制御手段１２と、所定の映像を表示させると共に情報表示制御手段１２により選択されたオブジェクトを決定された位置に表示させる映像出力手段１４とを備えるため、カメラの台数が多い場合であってもカメラ映像の選択が容易であり、操作が煩雑にならない。【選択図】図１
2014011626.tif 000002
【特許請求の範囲】
【請求項１】
複数のカメラによりそれぞれ撮影された映像を受信し、モニタの画面上に前記複数の映像のうち所定の映像を表示する映像監視装置において、
ユーザの指示に基づき前記所定の映像上に重畳して表示させるオブジェクトを選択すると共にユーザの指示に基づき当該オブジェクトを表示する位置を決定する情報表示制御手段と、
前記所定の映像を表示させると共に前記情報表示制御手段により選択されたオブジェクトを決定された位置に表示させる映像出力手段とを備える
ことを特徴とする映像監視装置。
【請求項２】
前記情報表示制御手段は、前記所定の映像上に重畳して表示させるオブジェクトとして前記複数の映像のうち前記所定の映像以外の映像から選択する
ことを特徴とする請求項１記載の映像監視装置。
【請求項３】
前記情報表示制御手段は、前記所定の映像上に重畳して表示させるオブジェクトとして、予め用意された前記所定の映像に対応するカメラの状態を示す文字列から選択する
ことを特徴とする請求項１または請求項２記載の映像監視装置。
【請求項４】
前記情報表示制御手段は、前記所定の映像上に重畳して表示させるオブジェクトとして、予め用意された複数のアイコンから選択する
ことを特徴とする請求項１から請求項３のうちのいずれか１項記載の映像監視装置。
【請求項５】
前記情報表示制御手段は、ユーザの指示に基づき前記オブジェクトと当該オブジェクトの動作または指定されたカメラの動作とを対応付け、ユーザの指示に基づき前記オブジェクトに対応付けた動作を実行する
ことを特徴とする請求項１から請求項４のうちのいずれか１項記載の映像監視装置。
【発明の詳細な説明】
【技術分野】
【０００１】
この発明は、複数のカメラにより取得される複数のカメラ映像を表示する映像監視装置に関するものである。
【背景技術】
【０００２】
従来から複数のカメラが設置された監視カメラシステムにおいて、各カメラにより取得されるカメラ映像を効率的に表示する手段が求められている。
例えば、特許文献１には、表示画面上に、カメラ映像を表示する複数のカメラ映像表示エリアと、監視カメラが設置された領域のマップと、マップ上のカメラの設置位置にカメラアイコンとが表示されており、マウスを用いたユーザ操作により、マップ上のカメラアイコンのいずれかをカメラ映像表示エリアのいずれかにドラッグアンドドロップすると、ドラッグされたカメラアイコンに対応するカメラにより取得されたカメラ映像をドロップされたカメラ映像表示エリアに表示するように設定するグラフィックユーザインタフェース（以下、「ＧＵＩ」と呼ぶ。）について開示されている。
【先行技術文献】
【特許文献】
【０００３】
【特許文献１】特開平９−２７１０２１号公報
【発明の概要】
【発明が解決しようとする課題】
【０００４】
しかしながら、例えば特許文献１のような画像処理装置のＧＵＩでは、ユーザが所望するカメラ映像をユーザが意図するカメラ映像表示エリアに表示することは可能となるものの、カメラの台数が多い場合、複数のマップの切り替えなどの操作が必要となり、切り替えた後のマップに対応するカメラ映像表示エリアの数が多くなり、誤った位置の映像を参照する可能性があるなど、操作が煩雑になるという課題があった。
【０００５】
この発明は、上記のような課題を解決するためになされたものであり、カメラの台数が多い場合であっても、操作が煩雑にならない表示画面に編集する映像監視装置を提供することを目的とする。
【課題を解決するための手段】
【０００６】
上記の目的を達成するため、この発明は、複数のカメラによりそれぞれ撮影された映像を受信し、モニタの画面上に前記複数の映像のうち所定の映像を表示する映像監視装置において、ユーザの指示に基づき前記所定の映像上に重畳して表示させるオブジェクトを選択すると共にユーザの指示に基づき当該オブジェクトを表示する位置を決定する情報表示制御手段と、前記所定の映像を表示させると共に前記情報表示制御手段により選択されたオブジェクトを決定された位置に表示させる映像出力手段とを備えることを特徴とする。
【発明の効果】
【０００７】
この発明によれば、関連するカメラ映像を重畳表示することにより、カメラの台数が多い場合であってもカメラ映像の選択が容易であり、操作が煩雑にならない。
【図面の簡単な説明】
【０００８】
【図１】この発明の実施の形態１に係る映像監視装置を含む監視カメラシステムの構成図である。
【図２】この発明の実施の形態１に係る映像監視装置のデータベースに記憶されたプロパティテーブルの例を示す図である。
【図３】この発明の実施の形態１に係る映像監視装置のデータベースに記憶された動作テーブルの例を示す図である。
【図４】この発明の実施の形態１に係る映像監視装置の表示制御テーブルの例を示す図である。
【図５】この発明の実施の形態１に係る映像監視装置が重畳表示するオブジェクトを設定する処理の流れを示すフローチャートである。
【図６】この発明の実施の形態１に係る映像監視装置の表示画面の初期状態のレイアウトの例を示す図である。
【図７】この発明の実施の形態１に係る映像監視装置の表示画面の座標系を示した図である。
【図８】この発明の実施の形態１に係る映像監視装置がオブジェクトを重畳表示する処理の流れについて示したフローチャートである。
【図９】部屋内に設置されたカメラの配置例について説明する図である。
【図１０】廊下に設置されたカメラの配置例について説明する図である。
【図１１】この発明の実施の形態１の映像監視装置が表示制御テーブルの動作定義に格納された動作を実行する処理の流れを示すフローチャートである。
【図１２】この発明の実施の形態１に係る映像監視装置の表示画面の重畳表示されたカメラ映像が小さい状態を示す図である。
【図１３】図１２に示された重畳表示されたカメラ映像を拡大した状態を示す図である。
【図１４】この発明の実施の形態２に係る映像監視装置を含む監視カメラシステムの構成図である。
【図１５】この発明の実施の形態２に係る映像監視装置の表示制御テーブルの例を示す図である。
【図１６】この発明の実施の形態２に係る映像監視装置の表示画面の重畳表示領域の例を示す図である。
【図１７】この発明の実施の形態３に係る映像監視装置を含む監視カメラシステムの構成図である。
【図１８】この発明の実施の形態３に係る映像監視装置の表示制御テーブルの例を示す図である。
【図１９】この発明の実施の形態３に係る映像監視装置の表示画面の重畳表示領域の例を示す図である。
【発明を実施するための形態】
【０００９】
以下、この発明の実施の形態について図面を参照しながら詳細に説明する。
実施の形態１．
図１は、この発明の実施の形態１に係る映像監視装置１を含む監視カメラシステムの構成図である。図１に示すように、この監視カメラシステムは、映像をデジタル信号化してネットワークにＲＴＰ（Ｒｅａｌ−ｔｉｍｅ  Ｔｒａｎｓｐｏｒｔ  Ｐｒｏｔｏｃｏｌ）/ＵＤＰ（Ｕｓｅｒ  Ｄａｔａｇｒａｍ  Ｐｒｏｔｏｃｏｌ）などにより配信するカメラ２−１〜２−Ｎと、カメラ２−１〜２−Ｎにより配信された映像信号を集線して伝送するハブ４と、ハブ４により集線して伝送された映像信号をエンコードすると共に、入力装置５を用いたユーザ操作の指示に従って表示画面を編集する映像監視装置１と、映像監視装置１により圧縮された映像を記憶するレコーダ３から構成される。
【００１０】
映像監視装置１は、カメラから入力された映像信号をＪＰＥＧ／ＭＰＥＧ２／ＭＰＥＧ４／Ｈ.２６４等の映像フォーマットにエンコードする映像入力手段１１、キーボードやマウスなどの入力装置５により入力されるユーザ操作に従い、データベース１３に記憶された情報を参照して、表示画面を編集する情報表示制御手段１２、映像入力手段１１によりエンコードされた映像信号を、情報表示制御手段１２により編集された画面上に表示する映像として出力する映像出力手段１４、映像出力手段１４により出力された映像を表示するモニタ１５から構成されている。
【００１１】
データベース１３は、予め与えられた、カメラの属性情報が格納されたプロパティテーブルと、カメラ制御動作や表示制御動作について格納された動作テーブルと、画面上に表示するアイコンとを記憶しており、情報表示制御手段１２により参照される。
【００１２】
図２は、この発明の実施の形態１に係る映像監視装置１のデータベース１３に記憶されたプロパティテーブルの例を示す図である。図２に示すように、プロパティテーブルには、プロパティＩＤごとに対応する、プロパティ名称と、プロパティ内容と、プロパティ値とが格納されており、予め与えられてデータベースに記憶されている。
全てのプロパティＩＤが、各カメラ２−１〜２−Ｎごとに与えられており、例えば、プロパティＩＤ１には、各カメラの映像の記録状態を示す文字列が格納されており、プロパティＩＤ４には、各カメラに付与されたカメラＩＤが格納されている。
【００１３】
図３は、この発明の実施の形態１に係る映像監視装置１のデータベース１３に記憶された動作テーブルの例を示す図である。図３に示すように動作テーブルには、動作ＩＤごとに対応する、動作名称と、動作内容とが格納されており、カメラを動作させる際に参照される。動作テーブルは、予め与えられてデータベースに記憶されている。
【００１４】
図４は、この発明の実施の形態１に係る映像監視装置１の表示制御テーブルの例を示す図である。図４に示すように、表示制御テーブルは、画面上に重畳表示されるオブジェクトの情報が格納されたテーブルであり、情報表示制御手段１２により生成され、オブジェクトＩＤごとに対応するオブジェクトの種類と、対応付けカメラＩＤと、動作定義と、表示相対座標とが格納される。
【００１５】
次に、情報表示制御手段１２が重畳表示するオブジェクトを設定する際の動作について説明する。図５は、この発明の実施の形態１に係る映像監視装置１が重畳表示するオブジェクトを設定する処理の流れを示すフローチャートである。
図５に示すように、まず、情報表示制御手段１２は、データベース１３からプロパティテーブルと、動作テーブルと、表示画面の初期状態のレイアウトを取得する（ステップＳＴ１１）。
【００１６】
次に、映像出力手段１４が、情報表示制御手段１２により取得された表示画面の初期状態のレイアウトモニタ１５に表示する（ステップＳＴ１２）。図６は、この発明の実施の形態１に係る映像監視装置１の表示画面の初期状態のレイアウトの例を示す図である。図６には、表示画面の初期状態のレイアウトとして、カメラ映像表示領域２０の中にカメラ２−１〜２−Ｎから受信したカメラ映像を表示する４つのカメラ映像表示エリア２１〜２４が示されており、カメラ映像表示エリア２１〜２４に表示されるカメラ映像は予め指定され、データベースに記憶されている。
【００１７】
なお、図６に示された表示画面の初期状態のレイアウトは一例であり、カメラ映像表示エリアの数は４つに限定する必要はなく、いくつ配置しても構わない。
また、図６には図示されていないが、表示画面の初期状態のレイアウトのＧＵＩ上にカメラＩＤの一覧とプロパティテーブルが表示されている。
【００１８】
そして、入力装置５を用いたユーザ操作に基づき、情報表示制御手段１２は、ＧＵＩ上に表示されているカメラＩＤの一覧から重畳表示するカメラ映像をオブジェクトとして選択して、選択したオブジェクトを重畳表示するカメラ映像表示エリアおよび座標を決定する（ステップＳＴ１３）。
例えば、ユーザがあるカメラのライブ映像をカメラ映像表示エリア２１〜２４上に重畳表示する場合、ユーザはマウスを入力装置５として、ＧＵＩ上に表示されたカメラＩＤの一覧から該当するカメラのカメラＩＤをマウスによりドラッグ操作し、表示画面上の重畳配置する位置にマウスによりドロップ操作する。情報表示制御手段１２は、ユーザ操作によりドラッグ操作されたカメラＩＤに対応するカメラ映像をオブジェクトとして選択し、ユーザ操作によりドロップ操作された位置を選択されたオブジェクトを表示するカメラ映像表示エリアおよび座標として決定する。
【００１９】
その後、情報表示制御手段１２は、ユーザによりカメラ映像表示エリア２１〜２４のいずれかにドロップされた重畳表示するオブジェクトに対して任意のオブジェクトＩＤを付与する（ステップＳＴ１４）。
【００２０】
オブジェクトＩＤが付与されると、情報表示制御手段１２は、図４に示された表示制御テーブルのオブジェクトＩＤに対応する表示相対座標フィールドに、ステップＳＴ１３において決定された重畳表示させるオブジェクトの左下隅の座標の値を格納する（ステップＳＴ１５）。
【００２１】
ここで、図７は、この発明の実施の形態１の映像監視装置１の表示画面の座標系を示した図であり、カメラ映像表示エリア２１の右下を原点３１とし、原点３１から左向きにＸ軸３２、上向きにＹ軸３３が配置され、原点３１に対する対角位置（１．０，１．０）３４が示されており、ステップＳＴ１５において格納する座標は、図７に示された座標系に基づいた値とする。なお、カメラ映像表示エリア２１〜２４ごとに座標は独立している。
【００２２】
次に、情報表示制御手段１２は、ユーザ操作に従い、図４に示された表示制御テーブルのオブジェクトＩＤに対応するオブジェクトの種類フィールドにオブジェクトの種類を格納する（ステップＳＴ１６）。実施の形態１ではオブジェクトの種類は、カメラライブ映像またはカメラ記録映像のどちらかとなる。
【００２３】
さらに、情報表示制御手段１２は、図４に示された表示制御テーブルのオブジェクトＩＤに対応する対応付けカメラＩＤフィールドにステップＳＴ１３において選択されたオブジェクトに対応するカメラＩＤを格納して（ステップＳＴ１７）、処理を終了する。
【００２４】
次に、カメラ映像表示エリア２１〜２４上にオブジェクトを重畳表示する際の情報表示制御手段１２の動作について説明する。図８は、この発明の実施の形態１に係る映像監視装置１がオブジェクトを重畳表示する処理の流れについて示したフローチャートである。
図８に示すように、まず、情報表示制御手段１２は、データベース１３から予め設定されたカメラ映像表示エリア２１〜２４に表示される各カメラ映像のカメラＩＤを取得し（ステップＳＴ２１）、映像出力手段１４が、情報表示制御手段１２により取得された各カメラＩＤのカメラ映像をカメラ映像表示エリア２１〜２４に表示する（ステップＳＴ２２）。
【００２５】
その後、情報表示制御手段１２は、表示制御テーブルを参照し、各オブジェクトＩＤごとに格納された、オブジェクトの種類と、対応付けカメラＩＤと、表示相対座標とを取得する（ステップＳＴ２３）。そして、映像出力手段１４が、情報表示制御手段１２により表示制御テーブルから取得されたオブジェクトの情報に基づき、決定したカメラ映像表示エリア２０〜２４の表示相対座標上にオブジェクトを重畳表示して（ステップＳＴ２４）、処理を終了する。
【００２６】
例えば、映像出力手段１４は、図４に示された、オブジェクトＩＤ１が付与されたオブジェクトを表示する場合、カメラＩＤがＣｈ３のカメラから受信したライブ映像を座標（１．０，０．８）に表示する。また、オブジェクトＩＤ２が付与されたオブジェクトを表示する場合には、情報表示制御手段１２がレコーダ３へカメラＩＤがＣｈ１のカメラ記録映像を出力するように制御し、映像出力手段１４が、レコーダ３により出力されたカメラＩＤがＣｈ１のカメラ記録映像を座標（１．０，１．０）に表示する。
【００２７】
このように、実施の形態１によれば、カメラ映像上に関連する他のカメラ映像を重畳することにより、カメラ映像をカメラ台数が多い場合でも、関連するカメラ選択、カメラの動作設定などを容易に行うことができ、監視業務を効率的に実施できる。
図９は、部屋内に設置されたカメラの配置例について説明する図であり、図９には、カメラ配置された部屋４０に配置されたカメラ４１〜４５が示されている。実施の形態１に係る映像監視装置１によれば、図９に示されたカメラの配置の場合、カメラ４２とカメラ４４をカメラ４１に関連するカメラとし、カメラ４１のカメラ映像上にカメラ４２とカメラ４４のカメラ映像を重畳表示することにより、位置的に関連するカメラ映像を関連付けて表示することができる。
【００２８】
また、図１０は、廊下に設置されたカメラの配置例について説明する図であり、図１０には、廊下５０に配置されたカメラ５１〜５４が示されている。実施の形態１に係る映像監視装置１によれば、図１０に示すようなカメラ配置の場合、カメラ５１のカメラ映像上にカメラ５２のカメラ映像を重畳表示し、さらにカメラ５２のカメラ映像上にカメラ５３のカメラ映像を重畳表示することにより、連続的に位置するカメラ映像を関連付けて表示することが可能となる。
【００２９】
次に、図１１を用いて、表示制御テーブルの動作定義に格納された動作について説明する。図１１は、この発明の実施の形態１の映像監視装置１が表示制御テーブルの動作定義に格納された動作を実行する処理の流れを示すフローチャートである。
図１１に示すように、まず、情報表示制御手段１２は、表示画面上において入力装置５によるユーザ操作により指示された座標を取得する（ステップＳＴ３１）。
例えば、入力装置５としてマウスを用いる場合、情報表示制御手段１２は表示画面上においてマウスによりクリックされた位置の座標を取得する。
【００３０】
情報表示制御手段１２は、取得した座標が表示制御テーブルに格納されたいずれの表示相対座標の近傍でもない場合（ステップＳＴ３２のＮＯの場合）は、処理を終了する。一方、ユーザ操作により指示された座標が表示制御テーブルに格納された表示相対座標のいずれかの近傍である場合（ステップＳＴ３２のＹＥＳの場合）には、情報表示制御手段１２は、図４に示された表示制御テーブルを参照し、ユーザ操作により指示された座標の近傍の表示相対座標に対応する動作定義に格納された動作ＩＤを取得する（ステップＳＴ３３）。
その後、情報表示制御手段１２は、図３に示された動作テーブルを参照して取得された動作ＩＤの動作名称と動作内容とを取得し（ステップＳＴ３４）、取得された動作ＩＤの動作内容に従って、表示映像の切り替え、カメラの制御、表示制御動作等の動作を実行して（ステップＳＴ３５）、処理を終了する。
なお、表示画面にはオブジェクトごとに対応する動作内容を示すリストが表示されており、ユーザはこのリストを見ながら操作を行う。
【００３１】
このように、重畳表示するオブジェクトの動作定義に動作ＩＤを格納することにより、ユーザ操作により重畳表示されたオブジェクトに対して指示して、格納された動作ＩＤに対応する動作を実行することできる。
例えば、図１２，図１３を用いて、オブジェクトの大きさを拡大する動作について説明する。図１２は、この発明の実施の形態１に係る映像監視装置１の表示画面の重畳表示されたカメラ映像が小さい状態を示す図であり、図１３は、図１２に示された重畳表示されたカメラ映像を拡大した状態を示す図である。
【００３２】
図１２には、表示画面上のカメラ映像表示エリア２２に重畳表示されたカメラ映像２５が示されており、この重畳表示されたカメラ映像２５に付与されたオブジェクトＩＤが３であるとする。ここで、図４に示すように、オブジェクトＩＤ３の動作定義には動作ＩＤ４が格納されており、図３に示すように、動作ＩＤ４に対応する動作内容には「表示領域を拡大」が格納されている。
したがって、入力装置５であるマウスにより、図１２に示された重畳表示されたカメラ映像２５がクリックされると、図１３に示された重畳表示されたカメラ映像２６のように表示領域が拡大する。
なお、カメラ映像２５等のオブジェクトの動作定義に他の動作ＩＤが登録されている場合でも、入力装置５であるマウス等の操作によってオブジェクトの左下隅や右下隅を指定することによりオブジェクトの大きさを変更することができる。
【００３３】
なお、実施の形態１では、レコーダ３と映像監視装置１が別々である場合について説明したが、レコーダ３と映像監視装置１とが一体となった形態についても適用可能である。
また、実施の形態１では、ハブ４を用いてカメラ２−１〜２−Ｎにより配信された映像信号を集線して伝送しているが、ハブ４を用いないで、カメラ２−１〜２−Ｎと映像監視装置１の映像入力手段１１とを接続する構成としてもよい。
【００３４】
以上より、実施の形態１によれば、複数のカメラ２−１〜２−Ｎによりそれぞれ撮影された映像を受信し、モニタ１５の画面上に複数の映像のうち所定の映像を表示する映像監視装置において、ユーザの指示に基づき所定の映像上に重畳して表示させるオブジェクトを選択すると共にユーザの指示に基づき当該オブジェクトを表示する位置を決定する情報表示制御手段１２と、所定の映像を表示させると共に情報表示制御手段１２により選択されたオブジェクトを決定された位置に表示させる映像出力手段１４とを備えるように構成したので、カメラ台数が多い場合でも、関連するカメラ選択、カメラの動作設定などを容易に行うことができ、監視業務を効率的に実施できる。またカメラの映像表示上に重畳表示することで、他のカメラへ視線移動することなく、最小限の視線移動で監視業務を行うことができる。
【００３５】
実施の形態２．
図１４は、この発明の実施の形態２に係る映像監視装置１を含む監視カメラシステムの構成図であり、実施の形態１の図１に示す映像監視装置１と、情報表示制御手段１６が、カメラ映像または文字列を重畳表示するオブジェクトとする点で異なる。なお、実施の形態１と同様の構成には同一の符号を付して重複した説明を省略する。
【００３６】
図１５は、この発明の実施の形態２に係る映像監視装置１のデータベース１３に記憶された表示制御テーブルの例を示す図である。図１５に示すように、表示制御テーブルは、オブジェクトＩＤごとに対応するオブジェクトの種類、対応付けカメラＩＤ、動作定義、表示相対座標が格納されている。
例えば、図１４に示されたオブジェクトＩＤ３が付与されたオブジェクトは、カメラＩＤ１００のカメラのプロパティＩＤ１、すなわち記録状態を示す「映像記録中」や「記録停止」等の文字列であり、表示画面上の座標（１．０，１．０）に表示される。
【００３７】
次に、情報表示制御手段１６が重畳表示するオブジェクトを設定する際の動作について説明する。ここで、この発明の実施の形態２に係る映像監視装置１が重畳表示するオブジェクトを設定する際の処理の流れの概要は、実施の形態１の図５に示されたフローチャートと同じであるため、図５を用いて説明する。
実施の形態２において、図５に示されたステップＳＴ１１は実施の形態１と同様であるため説明を省略する。
【００３８】
情報表示制御手段１６は、ステップＳＴ１１においてデータベース１３からプロパティテーブルと、動作テーブルとを取得すると、表示画面の初期状態のレイアウトをモニタ１５に表示する（ステップＳＴ１２）。ここで、表示画面の初期状態のレイアウトのＧＵＩ上にカメラＩＤの一覧とプロパティＩＤが表示されている。
【００３９】
情報表示制御手段１６は、ステップＳＴ１２において、表示画面の初期状態のレイアウトをモニタ１５に表示した後に、ユーザが入力装置５を用いて、ＧＵＩ上に表示されているカメラＩＤの一覧またはプロパティテーブルから重畳表示するオブジェクトを選択し、選択したオブジェクトを重畳表示する座標を決定する（ステップＳＴ１３）。
例えば、ユーザがあるカメラの記録状態の文字列を映像上に重畳表示する場合、ユーザはマウスを入力装置５とし、ＧＵＩ上に表示されたプロパティテーブルから該当するカメラのプロパティＩＤ１をマウスによりドラッグ操作してオブジェクトとして選択し、表示画面上の重畳配置する位置にマウスによりドロップ操作してオブジェクトを表示する座標を決定する。
【００４０】
実施の形態２において、図５に示されたステップＳＴ１４，ステップＳＴ１５は実施の形態１と同様であるため説明を省略する。
ステップＳＴ１５において、表示制御テーブルにオブジェクトを重畳表示させる座標の値を格納した後、情報表示制御手段１６は、オブジェクトＩＤが付与されたオブジェクトの種類を図１５に示された表示制御テーブルのオブジェクトＩＤに対応するオブジェクトの種類フィールドに格納する（ステップＳＴ１６）。実施の形態２ではオブジェクトの種類は、カメラライブ映像、カメラ記録映像、文字列のいずれかになる。
【００４１】
実施の形態２において、図５に示されたステップＳＴ１７は実施の形態１と同様であるため説明を省略する。
ステップＳＴ１７の後、処理を終了する。
【００４２】
次に、映像監視装置１がカメラ映像表示エリア２１〜２４上にオブジェクトを重畳表示する際の動作について説明する。ここで、この発明の実施の形態２に係る映像監視装置１がオブジェクトを重畳表示する際の処理の流れの概要は、実施の形態１の図８に示されたフローチャートと同じであるため、図８を用いて説明する。
【００４３】
実施の形態２において、図８に示されたステップＳＴ２１からステップＳＴ２３は実施の形態１と同様であるため説明を省略する。
ステップＳＴ２３において、情報表示制御手段１６が表示制御テーブルを参照し、重畳表示するオブジェクトの情報を取得した後に、映像出力手段１４が、情報表示制御手段１６により表示制御テーブルから取得されたオブジェクトの情報に基づき、カメラ映像表示エリア２０〜２４の相対座標上にオブジェクトを重畳表示して（ステップＳＴ２４）、処理を終了する。
ここで、重畳表示するオブジェクトの種類が文字列である場合、そのオブジェクトの対応付けカメラＩＤと動作定義を参照し、対応付けカメラＩＤに対応するカメラの、動作定義内に格納されたプロパティＩＤに対応するプロパティ値を表示相対座標上に重畳表示する。
【００４４】
図１６は、この発明の実施の形態２に係る映像監視装置１の表示画面内の重畳表示領域の例を示す図であり、図１６には図１５に示されたオブジェクトＩＤ３が付与されたオブジェクトが表示されている。ここで、オブジェクトＩＤ３のオブジェクトの種類は文字列であり、動作定義はプロパティＩＤ１であり、オブジェクトの左下隅の座標は（１．０，０．０）であり、図２に示されているように、プロパティＩＤ１は該カメラの記録状態を示す。すなわち、図１６に示された、カメラ映像表示エリア２１上に重畳表示された「映像記録中」という文字列２７は、カメラＩＤがＣｈ１００のカメラの映像の記録状態を示している。
【００４５】
また、情報表示制御手段１６が表示制御テーブルの動作定義に格納された動作を実行する際の動作については、実施の形態１と同様であるため、説明を省略する。
【００４６】
以上より、実施の形態２によれば、情報表示制御手段１６は、所定の映像上に重畳して表示させるオブジェクトとして、予め用意された所定の映像に対応するカメラの状態を示す文字列から選択するように構成したので、実施の形態１と同様の効果が得られると共に、カメラ映像に重畳表示した、カメラ・レコーダ等のプロパティを文字列として表示することで、ユーザが知りたい情報のみに専念して確認することが容易となり、監視業務の効率化を図ることが出来る。
【００４７】
実施の形態３．
図１７は、この発明の実施の形態３に係る映像監視装置１を含む監視カメラシステムの構成図であり、実施の形態１の図１に示す映像監視装置１と、情報表示制御手段１７がカメラ映像上に他のカメラ映像またはアイコンを重畳表示する点で異なる。なお、実施の形態１と同様の構成には同一の符号を付して重複した説明を省略する。
【００４８】
図１８は、この発明の実施の形態３に係る映像監視装置１のデータベース１３に記憶された表示制御テーブルの例を示す図である。図１８に示すように、表示制御テーブルは、オブジェクトＩＤごとに対応するオブジェクトの種類、対応付けカメラＩＤ、動作定義、表示相対座標が格納されている。
例えば、図１８に示されたオブジェクトＩＤ３が付与されたオブジェクトの種類はアイコンであり、オブジェクトの左下隅の座標が（０．７，０．７）となるように表示される。
【００４９】
次に、情報表示制御手段１７が重畳表示するオブジェクトを設定する際の動作について説明する。ここで、この発明の実施の形態３に係る映像監視装置１により重畳表示するオブジェクトを設定する際の処理の流れの概要は、実施の形態１の図５に示されたフローチャートと同じであるため、図５を用いて説明する。
【００５０】
図５に示すように、まず、情報表示制御手段１７は、データベース１３からプロパティテーブルと、動作テーブルと、アイコンとを取得する（ステップＳＴ１１）。
次に、情報表示制御手段１７は、データベース１３に記憶された表示画面の初期状態のレイアウトを参照し、映像出力手段１４が表示画面の初期状態のレイアウトモニタ１５に表示する（ステップＳＴ１２）。ここで、表示画面の初期状態のレイアウトのＧＵＩ上にカメラＩＤの一覧と複数のアイコンが表示されている。
【００５１】
次に、入力装置５を用いたユーザ操作に基づき、情報表示制御手段１７は、ＧＵＩ上に表示されているカメラＩＤの一覧または複数のアイコンから重畳表示するオブジェクトを選択し、選択したオブジェクトを重畳表示する座標を決定する（ステップＳＴ１３）。
例えば、ユーザがあるカメラの記録状態の文字列を映像上に重畳表示する場合、ユーザはマウスを入力装置５とし、ＧＵＩ上に表示された複数のアイコンから該当するアイコンをマウスによりドラッグ操作してオブジェクトとして選択し、表示画面上の重畳配置したい位置にマウスによりドロップ操作してオブジェクトの座標を決定する。
【００５２】
実施の形態３において、図５に示されたステップＳＴ１４，ステップＳＴ１５は実施の形態１と同様であるため説明を省略する。
ステップＳＴ１５において、オブジェクトを表示させる座標の値を格納した後、情報表示制御手段１７は、オブジェクトＩＤが付与されたオブジェクトの種類を図１８に示された表示制御テーブルのオブジェクトＩＤに対応するオブジェクトの種類フィールドに格納する（ステップＳＴ１６）。実施の形態２では、オブジェクトの種類は、カメラライブ映像、カメラ記録映像、アイコンのいずれかとなる。
【００５３】
ここで、ステップＳＴ１６で格納したオブジェクトの種類がカメラライブ映像またはカメラ記録映像である場合、情報表示制御手段１７は、図１８に示された表示制御テーブルのオブジェクトＩＤに対応する対応付けカメラＩＤフィールドにステップＳＴ１３において選択されたオブジェクトに対応するカメラＩＤを格納する。一方、ステップＳＴ１６で格納したオブジェクトの種類がアイコンである場合には、情報表示制御手段１７は、図１８に示された表示制御テーブルのオブジェクトＩＤに対応する対応付けカメラＩＤフィールドに対応する動作定義に格納された動作を実施する対象となるカメラのカメラＩＤを格納する（ステップＳＴ１７）。その後、処理を終了する。
【００５４】
また、映像監視装置１のカメラ映像表示エリア２１〜２４上にオブジェクトを重畳表示する際の動作と、情報表示制御手段１７が表示制御テーブルの動作定義に格納された動作を実行する際の動作については、実施の形態１と同様であるため、説明を省略する。
【００５５】
図１９は、この発明の実施の形態３に係る映像監視装置１の表示画面内の重畳表示領域の例を示す図であり、図１９には図１８に示されたオブジェクトＩＤ３が付与されたオブジェクトが表示されている。ここで、オブジェクトＩＤ３のオブジェクトの種類はアイコンであり、動作定義は動作ＩＤ２である。すなわち、図１８に示された、カメラ映像表示エリア２１上に重畳表示されたアイコン２８を入力装置５であるマウスによりクリックすると、カメラＩＤがＣｈ２のカメラに対してチルト動作をさせることができる。
【００５６】
以上より、実施の形態３によれば、情報表示制御手段１７は、所定の映像上に重畳して表示させるオブジェクトとして、予め用意された複数のアイコンから選択するように構成したので、実施の形態１と同様の効果が得られると共に、カメラ映像に重畳表示した、カメラやレコーダ等の動作をアイコンで表示することで、ユーザが該カメラで利用頻度の高い動作を関連付けることで、ユーザは容易な操作で実現でき、監視業務の効率化を図ることが出来る。
【００５７】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００５８】
１  映像監視装置、２−１〜２−Ｎ  カメラ、３  レコーダ、４  ハブ、５  入力装置、１１  映像入力手段、１２  情報表示制御手段、１３  データベース、１４  映像出力手段、１５  モニタ、１６，１７  情報表示制御手段、２０  カメラ映像表示領域、２１〜２４  カメラ映像表示エリア、２５、２６  カメラ映像、２７  文字列、２８  アイコン、３１  原点、３２  Ｘ軸、３３  Ｙ軸、３４  対角位置（１，１）、４０  部屋、４１〜４５  カメラ、５０  廊下、５１〜５４  カメラ。
【図１】
2014011626.tif 000003
【図２】
2014011626.tif 000004
【図３】
2014011626.tif 000005
【図４】
2014011626.tif 000006
【図５】
2014011626.tif 000007
【図６】
2014011626.tif 000008
【図７】
2014011626.tif 000009
【図８】
2014011626.tif 000010
【図９】
2014011626.tif 000011
【図１０】
2014011626.tif 000012
【図１１】
2014011626.tif 000013
【図１２】
2014011626.tif 000014
【図１３】
2014011626.tif 000015
【図１４】
2014011626.tif 000016
【図１５】
2014011626.tif 000017
【図１６】
2014011626.tif 000018
【図１７】
2014011626.tif 000019
【図１８】
2014011626.tif 000020
【図１９】
2014011626.tif 000021